(57)【特許請求の範囲】
【請求項１】
平行に配設された少なくとも複数本の縦桟を備えた面格子又は柵において隣り合う２本の該縦桟に備えられ、左右一対の目隠し面部を有し、これら目隠し面部同士の間に隙間が形成される目隠しであって、
前記目隠し面部のうちの一方が、前記縦桟の前面より前方に突出する導入板を備えるとともに、
該導入板が、他方の目隠し面部側に向けて屈曲され、
該他方の目隠し面部の最も前方の位置が、前記一方の目隠し面部の最も前方の位置よりも後退した位置に形成されて、一対の目隠し面部間の前記隙間が、前後方向に広がるように形成された
目隠し。
【請求項２】
前記他方の目隠し面部の先端が、前記一方の目隠し面部の前端と後端を結ぶ仮想直線に達するように前記他方の目隠し面部が形成された
請求項１に記載の目隠し。
【請求項３】
前記一方の目隠し面部または他方の目隠し面部の上下方向の中間部分に、これら目隠し面部と直交し前後方向に延びる整流板が形成された
請求項１または請求項２に記載の目隠し。
【請求項４】
前記一方の目隠し面部の上端または下端の少なくともいずれか一方に、前記他方の目隠し面部側に延びる閉塞面が形成された
請求項１から請求項３のうちのいずれか一項に記載の目隠し。
【請求項５】
請求項１から請求項４のうちのいずれか一項に記載の目隠しを備えた面格子。
【請求項６】
当該面格子の左右方向における中間位置を境にして、前記一方の目隠し面部の屈曲する向きがそれぞれ外側に向くように設定された
請求項５に記載の面格子。
【請求項７】
当該面格子の上下方向において、前記一方の目隠し面部の屈曲する向きが異なる方向に向くように設定された
請求項５または請求項６に記載の面格子。
【請求項８】
請求項１から請求項４のうちのいずれか一項に記載の目隠しを備えた柵。
【発明の詳細な説明】
【技術分野】
【０００１】
この発明は、防犯や化粧目的で窓の外側に固定される面格子等の目隠しに関し、より詳しくは、外部からの透視を防ぎつつも外部の風を良好に取り込めるような目隠し及びこれを用いた面格子、柵に関する。
【背景技術】
【０００２】
面格子の目隠しとしては、例えば下記特許文献１のようなものが提案されている。これは、上下方向に延びる複数本の縦桟を平行に配設した面格子に取り付けられる目隠しであって、図１３に示したように、この目隠し１０１は、前記縦桟１０２の左右両側面に粘着固定される帯状基板１０３と、この帯状基板１０３から左右方向の一方に延びる目隠し板１０４とを有する構造である。そして、隣り合う縦桟１０２に取り付けられて相対向する一対の目隠し板１０４は、縦桟１０２の厚み内において一方が厚み方向前方に、他方が厚み方向後方に位置するように屈曲され、目隠し板１０４間に隙間１０５ができるように構成される。
【０００３】
しかし、面格子１０６部分を面方向に流れる風は、図１３に矢印で示したように、一対の目隠し板１０４間に形成される面方向での隙間１０５ａの幅ｗが狭く浅いので、ほとんど表面を流れるだけで、内部には流入しにくい。このため、窓を通しての風の取り込みは困難であった。
【０００４】
近年の住宅は、高気密・高断熱仕様のものが多く、窓を通しての通気、換気が非常に大切であるが、例えば住宅密集地では隣家との間が非常に狭く、正面からの風の流入は期待できない。
【０００５】
また、相対向する目隠し板１０４の先端同士は、オーバーラップする長さであるものの、特許文献１で開示されている程度のオーバーラップ長さでは、外部からの透視を完全には防げない。これを完全に防ごうとすると、目隠し板１０４同士の間の隙間１０５が更に狭くなり、しかも前記隙間１０５を通る通気路の形が横断面略Ｚ字状になるので、通気性を阻害することになってしまう。
【先行技術文献】
【特許文献】
【０００６】
【特許文献１】実公昭５９−１９１８号公報
【発明の概要】
【発明が解決しようとする課題】
【０００７】
そこで、この発明は、良好な通気性及び目隠し性を得られ、特に目隠し部分を面方向に流れる風を内部に取り込むことが効率よく行えるようにすることを主たる課題とする。
【課題を解決するための手段】
【０００８】
そのための手段は、平行に配設された少なくとも複数本の縦桟を備えた面格子又は柵において隣り合う２本の該縦桟に備えられ、左右一対の目隠し面部を有し、これら目隠し面部同士の間に隙間が形成される目隠しであって、前記目隠し面部のうちの一方が、前記縦桟の前面より前方に突出する導入板を備えるとともに、該導入板が、他方の目隠し面部側に向けて屈曲され、該他方の目隠し面部の最も前方の位置が、前記一方の目隠し面部の最も前方の位置よりも後退した位置に形成されて、一対の目隠し面部間の前記隙間が、前後方向に広がるように形成された目隠しである。
【０００９】
前記一方の目隠し面部と他方の目隠し面部は、それぞれ別部材として形成されるものであるもの、一体として構成されるものであってもよく、取り付け対象たる面格子や柵の縦桟に対して適宜固定される。さらに、前記一方の目隠し面部と他方の目隠し面部は、前記物品またはそれを構成する部材と一体であってもよい。
【００１０】
課題を解決するための別の手段は、前記目隠しを備えた面格子である。
【００１１】
これらの構成では、一対の目隠し板部が外部からの透視を防ぎ、それらの間の隙間が空気の流通を許容する。また、他方の目隠し面部が一方の目隠し面部よりも後退した位置にあるため、一方の目隠し面部のみが前方に突出した状態となっており、一方の目隠し面部を左右方向に複数並設しても、隣り合う一方の目隠し面部同士の並設方向での隙間の幅を広く取れるので、目隠し近傍を左右方向に流れる風は、一方の目隠し面部に当たって内部に取り込まれる。
【発明の効果】
【００１２】
この発明によれば、良好な目隠し性や通気性を得られるうえに、特に目隠し部分を左右方向に流れる風を内部に取り込むことが効率よく行える。
【図面の簡単な説明】
【００１３】
【図１】目隠しを固定した面格子の斜視図。
【図２】目隠しを固定した面格子の平面図。
【図３】目隠しと面格子の斜視図。
【図４】目隠しを固定した面格子の一部拡大断面図。
【図５】目隠しを固定した面格子の一部拡大断面図。
【図６】目隠しの作用状態を示す説明図。
【図７】他の例に係る目隠しとこれを固定した面格子の断面図。
【図８】他の例に係る目隠しを固定した面格子の斜視図。
【図９】図７の目隠しを固定した面格子の一部拡大断面図。
【図１０】他の例に係る目隠しを固定した面格子の斜視図。
【図１１】他の例に係る目隠しの断面図。
【図１２】目隠しを固定した柵の斜視図。
【図１３】従来技術の断面図。
【発明を実施するための形態】
【００１４】
この発明を実施するための一形態を、以下図面を用いて説明する。  
図１は、目隠し１１を固定した面格子３１の斜視図であり、図２はその平面図、図３は、目隠し１１を分離した状態の面格子３１の斜視図である。図示した面格子３１は一例であって、この例では面格子３１は、左右方向に延びる上下２本の横桟３２の前面に上下方向に延びる複数本の縦桟３３が平行に配設された、いわゆる縦面格子である。
【００１５】
これらの図と図４（ａ）の拡大断面図に示すように、目隠し１１は、左右一対の目隠し面部１２，１３を有し、これら目隠し面部１２，１３同士の間に隙間１４が形成されるもので、前記目隠し面部１２，１３のうちの一方１２が、前方に突出する導入板１２ａを備えるとともに、該導入板１２ａが、他方の目隠し面部１３側に向けて屈曲され、該他方の目隠し面部１３の最も前方の位置が、前記一方の目隠し面部１２の最も前方の位置よりも後退した位置に形成されて、一対の目隠し面部１２，１３間の前記隙間１４が、前後方向に広がるように形成されている。
【００１６】
より具体的には、前記目隠し１１は、前記左右一対の目隠し面部の一方１２を有する導入目隠し部材２２と、一対の目隠し面部の他方１３を有する補助目隠し部材２３との２種類の目隠し部材２２，２３で構成されている。導入目隠し部材２２と補助目隠し部材２３は、互いに対向するように、隣り合う２本の前記縦桟３３の側面に固定される。
【００１７】
これら目隠し部材２２，２３は、合成樹脂や金属などの適宜の材料で形成され、合成樹脂による場合には透光性を有するものであるとよい。ここで、「透光性を有する」とは、光を透過する性質を有しているが、透過する光が拡散されるために、その材質の向こう側の形状等を認識できない状態をいう。これによって、光を取り入れつつ目隠しを実現できる。
【００１８】
前記導入目隠し部材２２は、前記縦桟３３における上下２本の横桟３２間に収まる長さの長尺状に形成され、その横断面形状は、縦桟３３の側面に固定される平らな固定板１２ｃと、この固定板１２ｃの先端から前方に延びる前記導入板１２ａとを有し、これら固定板１２ｃと導入板１２ａを合わせた全体が、前記一方の目隠し面部１２である。
【００１９】
前記導入板１２ａは、前記固定板１２ｃの先端側で小さく湾曲したのち、その先をそれよりも大きく湾曲するように円弧を描いて屈曲する形状である。そして、該導入板１２ａの先端１２ｂが、前記一方の目隠し面部１２の最も前方の位置となる。このほか、例えば直線状に屈曲するような形状など、その他の形状に屈曲するものであってもよい。
【００２０】
前記固定板１２ｃにおける前記導入板１２ａの屈曲方向と反対側の面の一部が、前記縦桟３３に固定される固定部１２ｄであり、両面粘着テープ２５（図３参照）で縦桟３３に対して固定される。両面粘着テープ２５のほか、例えば図示しない面ファスナ、ねじ、釘などの適宜の手段で固定してもよい。
【００２１】
また、前記固定板１２ｃは、図示例において前記固定部１２ｄよりも後方、つまり前記縦桟３３の後面よりも後方に突出する長さに設定され、十分な目隠し性を得られるようにしているが、導入板１２ａの屈曲形状や長さ等の条件に応じて、後方への突出量は適宜設定される。
【００２２】
前記補助目隠し部材２３は、前記縦桟３３における上下２本の横桟３２間に収まる長さの長尺状に形成され、その横断面形状は、縦桟３３の側面に固定される平らな固定板１３ｃと、この固定板１３ｃの先端から、導入目隠し部材２２方向に向けて横に延びる補助板１３ａとを有し、これら固定板１３ｂと補助板１３ａを合わせた全体が、前記目隠し面部の他方１３である。前記のように補助板１３ａは横に延びるので、この補助板１３ａが、前記他方の目隠し面部１３の最も前方の位置となる。
【００２３】
前記導入目隠し部材２２と補助目隠し部材２３が相対向する縦桟３３の側面に固定されたときに、図４（ａ）に示した如く、前記目隠し面部１３の先端１３ｂが、前記一方の目隠し面部１２の先端１２ｂと後端１２ｅを結ぶ仮想直線Ｌに達するように、補助目隠し面部２３の補助板１３ａが形成されている。縦桟３３のピッチＰ１の広いものに合わせて前記目隠し面部１３の先端１３ｂが前記仮想直線Ｌに接するように（図４（ａ）参照）製造しておけば、図４（ｂ）に示したように、それよりも多少ピッチＰ２が狭いものにも対応できる。また、図４（ｃ）に示したように、補助目隠し部材２３の固定向きを変更することで、さらに狭いピッチＰ３の縦桟３３にも固定ができるようになる。
【００２４】
このほかに、たとえば図５に示した如く、導入目隠し部材２２と補助目隠し部材２３の固定態様を変えることによっても、狭いピッチの縦桟３３に対する固定にも対応できるようになる。すなわち、縦桟３３の両側面ではなく一側面に対して補助目隠し部材２３の固定板１３ｃの内側面を固定し、この固定板１３ｃの外側面に導入目隠し部材２２の固定板１２ｃを固定する。
【００２５】
前記補助板１３ａの先端１３ｂは前記仮想直線Ｌに達するものの、導入目隠し部材２２との間には、通気のための前記隙間１４が形成されている。
【００２６】
この隙間１４は、屈曲して前方に突出する導入板１２ａと、これより後方に位置する補助板１３ａとの間の前後方向に広がる隙間と、補助板１３ａの先端１３ｂと導入目隠し部材の固定板１２ｃとの間の隙間とよりなる、断面略Ｌ字状である。前者の導入板１２ａと補助板１３ａとの間の前後方向に広がる隙間は、広いほうが風の取り込みが円滑に行えるのでよい。例えば図４（ａ）に図示したように、前記縦桟３３の奥行きよりも広くするとよい。
【００２７】
この補助目隠し部材２３においても、前記固定板１３ｃにおける前記補助板１３ａの屈曲方向と反対側の面の一部が、前記縦桟３３に固定される固定部１３ｄであり、図３に示したような両面粘着テープ２５などの適宜の手段で縦桟３３に対して固定される。
【００２８】
このような構成の導入目隠し部材２２と補助目隠し部材２３を有する目隠し１１は、図１、図２に示したように、面格子３１の左右方向における中間位置を境にして、前記一方の目隠し面部１２の屈曲の向きがそれぞれ左右方向の外側に向くように固定される。つまり、面格子３１の左右方向中間位置の縦桟３３の両側面に、導入目隠し部材２２が背中合わせになるように固定され、これより左右方向外側に向けて順に、補助目隠し部材２３と導入目隠し部材２２が、交互に固定される。
【００２９】
このように前記目隠し１１が固定されると、目隠し１１は次のような作用効果を達成する。
【００３０】
まず、目隠し１１は、外部からの透視を防止する。すなわち、前述の如く一方の目隠し面部１２、つまり導入目隠し部材２２の先端１２ｂと後端１２ｅを結ぶ仮想直線Ｌ（図４の仮想線参照）に補助目隠し部材２３の先端１３ｂが達するように構成されているので、導入目隠し部材２２と補助目隠し部材２３との間に隙間１４があっても、この隙間１４を通して内部が透視されることを完全に防げる。
【００３１】
導入目隠し部材２２と補助目隠し部材２３の固定板１２ｃ，１３ｃは、後方にも突出するように形成されているので、導入目隠し部材２２の導入板１２ａの前方への突出を抑えながらも、完全な透視防止を図ることができる。
【００３２】
しかも、２種類の目隠し部材２２，２３で構成されているので、縦桟３３の間隔の違いにも対応可能である。加えて、導入目隠し部材２２と補助目隠し部材２３の輸送や管理等が嵩張らずに行える。
【００３３】
また、前記のように完全な透視防止を図ることができるので、雨の吹き込みや異物の侵入を抑制することもできる。
【００３４】
次に、目隠し１１は、面格子３１部分を面方向に流れる風を効率的に内部に流入させる。すなわち、目隠し１１のうち一方の導入目隠し部材２２のみが、面格子３１の前面、つまり縦桟３３の前面から突出しており、導入目隠し部材２２と補助目隠し部材２３との間に、前後方向に広がるとともに内部へ通じる断面略Ｌ字形をなす前記隙間１４が形成されている。このため、面方向を左右に流れる風は、導入目隠し部材２２の導入板１２ａに導かれて内部に入り易い。
【００３５】
しかも、複数の目隠し１１を並設した場合であっても、縦桟３３に固定される目隠し１１のうちの一方の導入目隠し部材２２のみが前方に突出している構造であるため、隣の導入目隠し部材２２との間の距離は、縦桟３３の間隔と同じであり、従来のように縦桟間に縦桟の厚みに収まる目隠しを固定した場合に比して広く、しかも深い。このため、図６に矢印で示したように、導入目隠し部材２２の近くを面方向に流れる風Ｆ１は、速度にもよるが、導入板１２ａに接する流れは速度が落ちて導入板１２ａの上面に沿って流れようとするため、面方向に一様ではなく、全体として大きく波打つような流れとなる。しかも、この流れの波は、従来のそれよりも大きい。この結果、導入板１２ａに近い境界層Ｆ２はもちろんのこと、境界層Ｆ２よりも上の主流Ｆ３も、前記隙間１４に入りやすい状態となる。このため、隙間１４が断面略Ｌ字形であることと相まって、面格子３１部分を面方向に流れる風を、その隙間１４を通して効率よく内部に取り込むことができるようになる。
【００３６】
また、目隠し１１は、導入板１２ａの屈曲する方向が左右方向の外側になるように面格子３１の左右において分けて固定されているので、左右いずれからの風でも良好に取り込むことができる。
【００３７】
以上のように、良好な目隠し効果などを得られる上に、特に窓の外部を左右方向に流れる風を内部に取り込むことが効率よく行え、通気性も良好な面格子３１を得られる。このため、例えば隣家との間が狭い建物などにおいて外部の空気を好適に取り込んで、建物内の環境を整えることができて、建物の状態や人の健康の維持等に貢献できる。
【００３８】
以下、その他の例について説明する。この説明において、先の構成と同一又は同等の部位については同一の符号を付してその詳しい説明を省略する。
【００３９】
前記一方の目隠し面部１２の上下方向の中間部分に、図７に示したように、この目隠し面部１２と直交し前後方向に延びる整流板１５が形成された目隠し１１であってもよい。なお、前記「中間部分」とは、上下方向における両端を除く部分を意味する。
【００４０】
この整流板１５は、入り込む空気の流れを整えて、前記隙間１４での対流などを抑制して空気取り込みの円滑化を図る。
【００４１】
図示例では、整流板１５を一方の目隠し面部１２に形成した例を示したが、他方の目隠し面部１３に形成されるものであっても、双方の目隠し面部１２，１３に形成されるものであってもよい。
【００４２】
図８、図９は、一方の目隠し面部１２の上下両端に、他方の目隠し面部側に延びる閉塞板１６が形成された目隠し１１の例を示す。
【００４３】
すなわち、閉塞板１６は一方の目隠し面部１２の両端において、目隠し面部１２と直交し前後左右方向に延びる形状であり、一方の目隠し面部１２の端末を塞ぐ。
【００４４】
この閉塞板１６は、一方の目隠し面部１２と他方の目隠し面部１３との間に入った空気が端末から外部に漏れるのを防ぐ。このため、風の取り込み損失を少なくできる。
【００４５】
図１０は、前記一方の目隠し面部１２の屈曲向きを左右方向ではすべて同一としつつ、上下方向において、前記一方の目隠し面部１２の屈曲向きが異なる方向に向くように設定された面格子３１の例を示す。
【００４６】
すなわち、目隠し部材２２，２３の長さが前記例のように面格子３１の長さに対応した長さではなく、それよりも短く設定され、面格子３１の上下方向を４段に分けて、上から１段目と３段目の向きを同一にし、上から２段目と４段目の向きがそれらとは逆向きに設定されている。
【００４７】
このような固定をした場合でも、左右方向いずれからの風でも取り込める。また、目隠し部材２２，２３を適宜組み合わせれば、面格子３１の上下方向の長さの違いに対応させることもできる。
【００４８】
前記の各例においては、一方の目隠し面部１２と他方の目隠し面部１３を別々の部材として構成した目隠し１１を示したが、例えば図１１（ａ）に示したように、縦桟３３を挟んで隣接する一方の目隠し面部１２と他方の目隠し面部１３とを一体に形成した目隠し部材２４を用いてもよい。この場合には、両者の固定板１２ｃ，１３ｃ部分を、断面横コ字状をなす嵌合部１７で構成して、縦桟３３に対して嵌めつけて固定できるようにするとよい。この場合、前記嵌合部１７を柔軟な軟質樹脂で構成し、導入板１２ａと補助板１３ａとを硬質の合成樹脂で構成すべく、２種類の樹脂の同時押出で成形するのが好ましい。軟質合成樹脂によって、縦桟の左右方向の長さ（Ｗ）の違いに対応できるからである。図１１（ａ）中、１７ａは、嵌合部１７の変形が導入板１２ａや補助板１３ａの角度に影響を与えないようにする断面円弧状をなす切欠部で、１８は、縦桟３３の縁に係止する係止爪である。もちろん、両面粘着テープなどを用いて固定してもよい。
【００４９】
図１１（ｂ）、図１１（ｃ）は、それぞれ、面格子３１の左右方向の端部に固定する導入目隠し部材２２、補助目隠し部材２３を示している。このように、導入板１２ａのみを備えた導入目隠し部材２２と、補助板１３ａのみを備えた補助目隠し部材２３を、前記目隠し部材２４（図１１（ａ）参照）と共に用いることで、図１に示したような状態の面格子を得られる。
【００５０】
なお、図１１（ｄ）に示したように、嵌合部の両内側面に、前記係止爪に代えて縦桟３３に対する差込方向に並設された多数の微細な凹凸１９を形成することで、縦桟３３の前後方向の長さＤ（図１１（ａ）参照）の違いにも対応できるようになる。
【００５１】
図１２は、図１〜図３に示した目隠しを固定した柵４１を示す。このような柵４１においても、前記と同様の作用効果を達成する。
【００５２】
この発明の構成と、前記一形態の構成との対応において、  
この発明の一方の目隠し面部は、前記一方の目隠し部１２および導入目隠し部材２２に対応し、  
同様に、  
他方の目隠し面部は、前記他方の目隠し部１３および補助目隠し部材２３に対応するも、  
この発明は、前記の構成のみに限定されるものではなく、その他の構成を採用することもできる。
【００５３】
たとえば、互いに向き合った状態の導入目隠し部材と補助目隠し部材を一体に構成するものであってもよい。
【００５４】
また、面格子や柵の縦桟が一方の目隠し面部や導入板、他方の目隠し面部や補助板を一体にするものであってもよい。
【００５５】
さらに、面格子の種類は縦面格子に限定されず、前記以外の形態の面格子や柵であってもよい。この場合には、縦桟の側面のほか、面格子や柵の形状に応じて、直接、または他の部材を用いて適宜固定される。
【００５６】
さらにまた、目隠しは、クローゼットや各種保管箱等の扉や筐体などに利用することもできる。
【符号の説明】
【００５７】
１１…目隠し
１２…一方の目隠し面部
１２ａ…導入板
１２ｂ…先端
１２ｅ…後端
１３…他方の目隠し面部
１３ｂ…先端
１４…隙間
１５…整流板
１６…閉塞板
２２…導入目隠し部材
２３…補助目隠し部材
２４…目隠し部材
３１…面格子
４１…柵
Ｌ…仮想直線
【要約】
【課題】面格子等に取り付けられる目隠しにおいて、良好な通気性及び目隠し性を得られるようにする。特に目隠し部分を面方向に流れる風を内部に取り込むことができるようにする。
【解決手段】左右一対の目隠し面部１２，１３を有し、これら目隠し面部１２，１３同士の間に隙間１４が形成される目隠し１１であって、前記目隠し面部のうちの一方１２を有する導入目隠し部材２２と、前記目隠し面部のうちの他方１３を有する補助目隠し部材２３とを備え、導入目隠し部材２２には、前方に突出する導入板１２ａを備えるとともに、該導入板１２ａが補助目隠し部材２３側に向けて屈曲され、前記補助目隠し部材２３の前端位置が、前記導入目隠し部材２２の前端位置よりも後退した位置に形成されて、前記隙間１４が前後方向に広がるように形成された目隠し１１。
【選択図】図１【図１】
0004733226.tif 000002
【図２】
0004733226.tif 000003
【図３】
0004733226.tif 000004
【図４】
0004733226.tif 000005
【図５】
0004733226.tif 000006
【図６】
0004733226.tif 000007
【図７】
0004733226.tif 000008
【図８】
0004733226.tif 000009
【図９】
0004733226.tif 000010
【図１０】
0004733226.tif 000011
【図１１】
0004733226.tif 000012
【図１２】
0004733226.tif 000013
【図１３】
0004733226.tif 000014